(57)【要約】【課題】メンテナンス性の一層の向上を図って短時間に作業ができるようにするとともに、従来工法の欠点を解消して長期信頼性に優れる埋込型標識灯装置を提供する。【解決手段】埋込型標識灯装置ＭＬは、レセプタクル１３を内部に収容する基台Ｂと、調整リング本体３、調整リング本体３の凹部の内面に露出して配設されて埋込型標識灯Ｌの受電端子８に接続する電源端子台４およびプラグ５を備えた調整リングＲと、埋込型標識灯Ｌとを具備し、埋込型標識灯Ｌおよび調整リングＲのそれぞれの上面間に形成される水滞留最大容積がＡの隙間と、調整リングの電気接続部の周囲に形成される水滞留許容最大容積がＢの空間との容積比率Ｂ／Ａが１以上である。【選択図】図２
2004285772.tif 000002
【特許請求の範囲】
【請求項１】
上面に形成された開口端を備え、配管内の配線に接続するレセプタクルを内部に収容するとともに、路面に埋設される基台と；
埋込型標識灯を受け容れる凹部を有するとともに、基台の開口端に取り付けられる調整リング本体、調整リング本体の凹部の内面に露出して配設されて後記埋込型標識灯の受電端子に接続する電源端子台、および電源端子台から調整リング本体の背面側へ導出されて基台内のレセプタクルに接続するプラグを備えた調整リングと；
上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備え、調整リングに取り付けられる埋込型標識灯と；
を具備し、埋込型標識灯および調整リングのそれぞれの上面間に形成される水滞留最大容積がＡの隙間と、調整リングの電気接続部の周囲に形成される水滞留許容最大容積がＢの空間との容積比率Ｂ／Ａが１以上であることを特徴とする埋込型標識灯装置。
【請求項２】
上面に形成された開口端を備え、配管内の配線に接続する電源端子台を内部に配設するとともに、路面に埋設される基台と；
上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備え、基台の開口端に取り付けられる埋込型標識灯と；
を具備し、埋込型標識灯および基台の上面間に形成される水滞留最大容積がＡの隙間と、基台の電気接続部の周囲に形成される水滞留許容最大容積がＢの空間との容積比率Ｂ／Ａが１以上であることを特徴とする埋込型標識灯装置。
【請求項３】
上面に形成された開口端を備え、配管内の配線に接続するレセプタクルを内部に収容するとともに、路面に埋設される基台と；
埋込型標識灯を受け容れる凹部を中央に有し、かつ、凹部の底面の周囲に周段部を形成するとともに基台の開口端に取り付けられる調整リング本体、調整リング本体の凹部内の周段部上に実質的全体が配設されて埋込型標識灯の受電端子に接続する電源端子台、および電源端子台から調整リング本体の背面側へ導出されて基台内のレセプタクルに接続するプラグを備えた調整リングと；
上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出し調整リングの電源端子台に挿入されて接続するとともに光源に接続する受電端子を備え、調整リングに取り付けられる埋込型標識灯と；
を具備していることを特徴とする埋込型標識灯装置。
【請求項４】
調整リングは、環状をなした第１の部材と、中央部に埋込型標識灯を受け容れる凹部を有する第２の部材を備え、第１の部材には第１の部材を基台に取り付けるための第１の取付部および第２の部材を取り付けるための第２の取付部を有し、第２の部材が第１の部材に嵌合した状態で第２の取付部に取り付けられる被取付部を有しているとともに埋込型標識灯を取り付けるように構成されていることを特徴とする請求項１または３記載の埋込型標識灯装置。
【請求項５】
調整リングは、第１の部材が周縁側に配置された第１の環状座およびこれと同心円関係で中心側に配置された第２の環状座をそれぞれ有し、第２の部材が第１の部材の第１の環状座に正対する第１の対向座および第２の環状座に当接して荷重を受ける第２の対向座を有していることを特徴とする請求項４記載の埋込型標識灯装置。
【発明の詳細な説明】
【０００１】
【発明の属する技術分野】
本発明は、空港において航空機のパイロットに対する視覚支援のためのマーカーライトなどとして用いたり、道路などに用いたりするのに好適な埋込型標識灯装置に関する。
【０００２】
【従来の技術】
空港用の埋込型標識灯を路面に設置するための構造として、予め基台を路面に埋設しておき、基台に直接的に、または調整リングを介して間接的に、埋込型標識灯を取り付ける構成が採用されている。そして、基台内に予め電源およびまたは他の埋込型標識灯との間を結ぶ電気配線を施しておく。電気配線の工法には、切込接着工法と配管工法とがある。
【０００３】
前者は、路面を構成するコンクリートに配線溝を切り、この配線溝内に電気配線を直接接着する工法である。この工法に用いる基台は、その側面を貫通するように接続端子を防水して取り付けるとともに、基台の内部側においては電源端子台を配設し、電源端子台と接続端子との間を内部接続線を介して接続した構成となっている。これに対して、埋込型標識灯には、その底面から受電端子を突出していて、埋込型標識灯を基台の所定の位置に配置したときに、受電端子が電源端子台に接続するように構成されている。
【０００４】
後者は、配管内に通線して配線する工法であり、路面を構成するコンクリート内に予め敷設され、内部に配線を通線した配管を基台に接続して配線を基台の内部に導入し、導入した配線の先端にレセプタクルを接続している。これに対して、埋込型標識灯には、その底面から接続線を導出するとともに、接続線の先端にプラグを接続している。そして、プラグを上記レセプタクルに装着して、埋込型標識灯を配線に接続する。
【０００５】
ところが、従来のいずれの電気配線工法においても問題がある。すなわち、切込接着工法においては、配管工法における後述する問題はないが、地盤が動いた場合、配線溝内の配線が切断されやすく、長期信頼性に欠けるという問題がある。配管工法は、この問題の対策として開発されたものである。
【０００６】
一方、配管工法においては、雨水などが配管を伝って浸入する虞があるために、埋込型標識灯を取り付ける際に、レセプタクルにプラグを接続した後、テーピングを施す必要がある。このため、埋込型標識灯の交換作業に手間取り、短時間に交換することが困難である。これに対して、空港においては、埋込型標識灯のメンテナンスを短時間に済ます要請が強いので、従来の配管工法用の標識灯取付装置においては、上記要請に応えることができないという問題がある。
【０００７】
上述の問題を解決するために、以下に示す発明が本発明者らによりなされ、特願２００２−３６６４７４として出願されている。この発明は、上面に形成された開口端を備え、配管内の配線に接続するレセプタクルを内部に収容するとともに、路面に埋設される基台と；埋込型標識灯を受け容れる凹部を有するとともに、基台の開口端に取り付けられるアダプタ本体、アダプタ本体の凹部の内面に露出して配設されて埋込型標識灯の受電端子に接続する電源端子台、および電源端子台からアダプタ本体の背面側へ導出されて基台内のレセプタクルに接続するプラグを備えたアダプタと；を具備していることを特徴とする埋込型標識灯取付装置他からなる。
【０００８】
一方、上記埋込型標識灯取付装置に取り付けられる埋込型標識灯は、上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備えている。
【０００９】
そうして、上記出願発明によれば、長期信頼性に優れるとともに、埋込型標識灯の交換を短時間に行なえるようになった。
【００１０】
【発明が解決しようとする課題】
しかしながら、埋込型標識灯のメンテナンス性のさらなる向上に対する要求がある。
【００１１】
例えば、図８および図９に示すように、従来の埋込型標識灯装置においては、埋設されている埋込型標識灯（図示しない。）を基台１０１から取り外すときに、埋込型標識灯と基台１０１（または調整リング）との間に形成される隙間内に水、例えば雨水が入り込んでいる場合、埋込型標識灯を取り外すと、上記隙間内に滞留している雨水が基台１０１（または調整リング）内に流れ落ちる。そして、雨水が基台１０１（または調整リング）内に配置されている電源端子台１０２内に進入するために、漏電が発生して作業者が感電する恐れがある。そのため、埋込型標識灯を取り外すに先立ち上記隙間内の雨水などを予めバキューム手段を用いて除去する必要があり、手間がかかる。
【００１２】
また、同じく図８および図９に示すように、埋込型標識灯の受電端子１０３と接続する電源端子台１０２の接続部１０２ａの一部が基台１０１（または調整リング）の内部の周段部１０１ａから凹窪部１０１ｂの上に飛び出していて、周段部１０１ａに支承されないで取り付けられている。そのため、埋込型標識灯の底面から突出する受電端子を電源端子台１０２の接続部１０２ａに挿入して接続する際に、電源端子台１０２が逃げるように変位しやすくなり、結果として正常な電気接続が得られないことがあり、信頼性に問題がある。
【００１３】
さらに、深形の基台内に絶縁トランスを収納し、かつ、調整リングを介して埋込型標識灯を取り付けている場合、絶縁トランスを交換などのために基台から取り出すには、先ず埋込型標識灯を調整リングから取り外し、次に調整リングを基台から取り外す必要があり、手間がかかる。
【００１４】
本発明は、メンテナンス性の一層の向上を図って短時間に作業ができるようにするとともに、従来工法の欠点を解消して長期信頼性に優れる埋込型標識灯装置を提供することを目的とする。
【００１５】
【課題を達成するための手段】
請求項１の発明の埋込型標識灯装置は、上面に形成された開口端を備え、配管内の配線に接続するレセプタクルを内部に収容するとともに、路面に埋設される基台と；埋込型標識灯を受け容れる凹部を有するとともに、基台の開口端に取り付けられる調整リング本体、調整リング本体の凹部の内面に露出して配設されて後記埋込型標識灯の受電端子に接続する電源端子台、および電源端子台から調整リング本体の背面側へ導出されて基台内のレセプタクルに接続するプラグを備えた調整リングと；上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備え、調整リングに取り付けられる埋込型標識灯と；を具備し、埋込型標識灯および調整リングのそれぞれの上面間に形成される水滞留最大容積がＡの隙間と、調整リングの電気接続部の周囲に形成される水滞留許容最大容積がＢの空間との容積比率Ｂ／Ａが１以上であることを特徴としている。
【００１６】
本発明および以下の各発明において、用語の定義および技術的意味は次による。
【００１７】
＜基台について＞    本発明において、基台は、路面に埋設されて、配線を導入するとともに、埋込型標識灯を取り付ける際の基礎を提供する。すなわち、基台には、調整リング（なお、前記先行出願においては、「アダプタ」と称している。）を介して埋込型標識灯が直接的または間接的に取り付けられる。そのために、基台は、まず配管工法に適合するように構成されている。具体的には配管と接続し得る構造を備えている。配管との接続は、基台の側面を利用するのが最適であるが、要すれば、底面を利用してもよい。
【００１８】
また、基台は、埋込型標識灯を取り付ける基礎を提供するために、上面が開口している。そして、調整リングを直接的にまたは間座などを介して間接的に取り付けるように構成されている。なお、本発明において、調整リングから見ると、間座は、基台の一部として機能する。したがって、間座は、基台の埋設深さのずれを矯正するための手段として作用する。間座を取り付けるには、開口を利用するのが最適であるが、要すれば、側面など開口以外の個所であってもよい。また、調整リングを取り付けるには、たとえば基台の開口端の適所にねじ孔を形成し、調整リングにはねじ孔に一致する通孔を形成して、通孔を経由してボルトをねじ孔にねじ込むように構成することができる。しかし、要すれば、基台の開口端の適所からスタッドボルトを突出させ、調整リングにスタッドボルトが挿通する通孔を形成し、調整リングの上からナットをスタッドボルトにねじ込むことにより、調整リングを基台に固定するように構成することもできる。
【００１９】
さらに、基台は、埋込型標識灯に電源を供給するために、配管内の配線に接続するレセプタクルを内部に収容する。レセプタクルは、後述する調整リングから導出されたプラグと接続する。
【００２０】
＜調整リングについて＞    本発明において、調整リングは、基台と埋込型標識灯との間に介在して配管工法による電源接続方式を埋込型標識灯を交換するのに好適な電源接続方式に転換することができる。そのために、調整リングは、調整リング本体、電源端子台およびプラグを備えていて、調整リング自体を基台に取り付けるための機能と、埋込型標識灯を取り付けるための機能と、電源接続方式転換機能とを備えている。
【００２１】
また、調整リング本体は、上面に埋込型標識灯を受け容れる凹部を有する。この凹部は、埋込型標識灯を取り付けるための機能の主要部を担当する。すなわち、埋込型標識灯の突出した下部を受け容れて、埋込型標識灯を安定的に支持する。また、埋込型標識灯を固定するための構成を備えている。たとえば、スタッドボルトまたはねじ孔など慣用の固着手段を用いることができる。すなわち、凹部は、スタッドボルトの場合は、調整リング本体から上方へスタッドボルトを突出させ、埋込型標識灯に形成した通孔をスタッドボルトに挿通し、埋込型標識灯の上方からナットをスタッドボルトにねじ込んで締め付ける。これに対して、ねじ孔の場合は、調整リング本体にねじ孔を形成し、埋込型標識灯に通孔を形成し、通孔を経由してねじ孔にボルトをねじ込んで締め付ける。
【００２２】
一方、調整リング本体は、調整リングを基台に取り付けるための固着手段を備えている。たとえば、基台の取付手段に対応した取付手段たとえば通孔を周辺に備え、調整リング本体の上方からボルトを基台のねじ孔にねじ込んだり、調整リング本体の通孔を経由して上方へ突出したスタッドボルトの上方からナットをねじ込んだりして、締め付ける。
【００２３】
さらに、調整リング本体は、単一部品構成および複合部品構成のいずれであってもよい。後者の場合、複数の部品を結合して調整リング本体が構成されるが、複数の部品がどの部分で分離され、あるいは結合していてもよい。たとえば、底面部をその他の部分から分離可能に分割して、ボルトなどの固着具によって結合するように構成することができる。この場合には、調整リング本体を基台から取り外さなくても、底面部を分離するだけで基台の内部を点検、修理することが可能になり、上記作業が一層容易、かつ、短時間で行なえるようになる。
【００２４】
電源端子台は、埋込型標識灯を調整リング本体の凹部に所定の手順にしたがって収容させたときに、埋込型標識灯のたとえば下面から突出する受電端子と接続するように構成されている。換言すれば、埋込標識灯を所定の位置に配置することにより、電源端子台は、受電端子と自動的に接続する。また、埋込型標識灯を調整リングから取り外せば、受電端子は、電源端子台から自動的に離脱する。しかし、埋込型標識灯の調整リングに対する正確な位置は、埋込型標識灯と調整リングとの間の取付手段の間で規制する方がよいので、電源端子台と受電端子との間は、それらの組み立て時に多少の位置のずれが生じていたとしても接続が可能なように、余裕をもって柔軟に対応できるよう位置が許容される範囲内で相対的に可動に構成されているのが好ましい。なお、上記両者の位置を相対的に可動にする場合、いずれか一方または両方を可動にすればよいが、前者を可動にすれば、埋込型標識灯を両配線工法用として共通設計にすることができるので、好適である。
【００２５】
また、電源端子台は、内部に埋込型標識灯の受電端子を受け容れて接続するように、絶縁ケースの内部にコネクタが収納された構成であることが好ましい。さらに、電源端子台は、受電端子との接続を容易にするために、ガイドピンまたはガイド孔を付設することができる。もちろん、これに対応して埋込型標識灯には、電源端子台に相手側となるガイド孔またはガイドピンを付設するものとする。すなわち、ガイドピンとガイド孔とが嵌合する過程で、所要のガイド作用が行なわれる。なお、ガイド孔の開口端には、その周囲に円錐形状のテーパ面備えられていて、ガイドピンをガイド孔へと誘導し得るように構成される。
【００２６】
プラグは、電源端子台と協働して電源接続方式転換機能を担当する。そのために、プラグは、電源端子台からアダプタ本体の背面側へ導出されていて、基台内のレセプタクルに接続する。プラグと電源端子台との間を絶縁被覆導線により直接的に接続してもよいし、アダプタ本体を防水的に貫通する中継端子を経由して間接的に接続してもよい。前者の場合には、絶縁被覆導線がアダプタ本体を貫通するので、貫通部分に防水処理および絶縁ブッシュを貫通部に配設するなどの絶縁処理を施すのがよい。また、プラグと基台のレセプタクルとを接続した後、絶縁テープを用いて両者をテーピングするなど、手間を要しても確実な防水処理を施すことができる。また、後者の場合、中継端子をアダプタ本体に対して防水処理して取り付けるのが好ましい。
【００２７】
＜埋込型標識灯について＞    埋込型標識灯は、少なくとも灯体、光学ユニット、受電端子および取付手段を備えて構成されている。また、埋込型標識灯は、空港用の場合、たとえば滑走路中心線灯、誘導路中心線灯、停止線灯などとして構成することができる。また、道路用としては、交叉点標識用など所望の用途に適合するように構成することができる。
【００２８】
灯体は、光導出溝、内部空間、プリズムおよび取付部を備えている。また、灯体は、内部空間内に収納する光学ユニットなどの部品を組み込むために、好適には上部灯体および下部灯体に分割される。この場合、上部灯体は、その上部を航空機が高速で走行しても、機械的に十分耐えられるようにするために、好ましくは耐久性および強度の大きい金属を鋳造して形成される。これに対して、下部灯体は、アダプタまたは上部アダプタの内部に収容されるので、相対的に強度の小さくてよく、例えばダイキャストにより形成したり、金属板をプレス成形したりして形成したりすることができる。
【００２９】
光導出溝は、灯体の路面上に露出している上面部に配設されている。この種の埋型標識灯の場合、標識光を路面に対して小さな仰角で照射する必要があり、そのために光導出溝を形成している。内部空間は、一般に路面内に埋設される位置にある。そして、後述する光学ユニットを始め、受電部分などを収容する。
【００３０】
プリズムは、光学ユニットから放射された光路を屈折させて、光路を所定の仰角に規制するために用いられる。すなわち、灯体の内部空間においては、光源からプリズムに至る光軸を路面に対して小角度で設定することが困難である。そこで、中間にプリズムを介在させて路面方向へ屈折させる。プリズムを灯体の所定の位置に配設するには、好適には以下の構成による。すなわち、灯体の内部側にプリズムを収納する凹部を形成してプリズムを収納し、その背面すなわち光入射面の周囲にゴムなどの軟弾性物質からなる枠状のパッキングを配設し、さらにパッキングの背部を枠状の押さえ金具で支持する。押さえ金具は、ねじなどを用いて灯体の内面に固着する。
【００３１】
取付部は、灯体を調整リングまたは上部調整リングに取り付けるための構成で、灯体の周辺部の適所に配設された取付孔などによって構成されている。取付孔の上端には、ナットやボルトの頭部などを収納して、灯体の上面から突出しないようにする凹部を供えていることが許容される。また、取付孔は、調整リングまたは上部調整リングに対する埋込型標識灯の取付位置を調整するために、長孔であることを許容する。したがって、灯体の上面が円形である場合、長孔は円弧状になる。
【００３２】
光学ユニットは、少なくとも光源を備え、さらに所要により反射鏡、色フィルタ、減光フィルタなど他の光学手段および上記各手段を所定の位置に取り付けるための取付枠などの付帯的な手段を含むことができる。光源は、小形高光出力が可能になる点からハロゲン電球を用いるのが好ましいが、クリプトンやキセノンガスを封入した電球においても比較的小形高光出力のものが得られるので、またそれほど小形高光出力を要求されない場合も含めて、その他の電球または発光ダイオードなどの使用を許容する。なお、ハロゲン電球を用いる場合、バルブの表面に赤外線反射膜を形成したものがあるが、発光効率が一層高くなるので、この構成は本発明に好適である。
【００３３】
色フィルタは、光路に出射される光ビームを所定の光色になるように波長を選択するための光学手段であり、光源とプリズムとの間の光路に配設される。また、色フィルタとしては、ダイクロイックフィルタフィルタ膜をガラス板の表面に蒸着などにより被着させてなるダイクロイック色フィルタが所望の光色の光のみを効率よく得られるので好適である。さらに、色フィルタを所定の位置に配設するには、たとえば色フィルタを金属枠によって支持し、この金属枠をプリズムの押さえ金具に共締めする。
【００３４】
反射鏡は、光源から放射される光を集光して、色フィルタに入射させる場合に用いられる。また、反射鏡は、光源に対して独立していてもよいが、両者を一体化させてもよい。後者の場合、回転２次曲面または多面分割面を有する反射基盤面および反射基盤面の頂部に筒状部を備えたガラス成形基体の当該反射基盤面にダイクロイック反射膜を形成してなる反射鏡を用いて、その筒状部にハロゲン電球の封止部を挿入し、筒状部と封止部とを無機質接着剤で固着して一体化することができる。なお、ダイクロイック反射膜は、可視光反射、赤外光透過性の光学特性を有するものが好適である。
【００３５】
減光フィルタは、埋込型標識灯の光出力が規格値より大きい場合に用いられる。また、減光フィルタは、色フィルタに重ね、かつ、色フィルタと共通の金属枠により支持して配置することができる。さらに、減光フィルタは、ガラス基板の表面に金属蒸着膜からなる減光フィルタ膜を被着させた構成のものを用いることができる。
【００３６】
上記の光学手段の他に、付帯手段として、光源および反射鏡の位置を規制する位置規制枠を用いることができる。光源および反射鏡の位置は、光学ユニットが所定の配光特性を埋込型標識灯に付与するために重要である。また、位置規制枠を利用して、光源を灯体に取り付けることができる。さらに、一体化された光源および反射鏡をその背面から押圧して、前面が位置規制枠に当接するように作用する押圧片を配設することができる。さらにまた、埋込型標識灯に大きな衝撃が加わったときでも、光源および反射鏡が所定の位置からずれたり脱落ししたりしないように作用する弾性脱落阻止体を位置規制枠に着脱自在に装着することができる。
【００３７】
次に、受電端子について説明する。受電端子は、調整リングまたは上部調整リングの電源端子台と接続して電源から受電する手段であり、調整リングの電源端子台の配設位置に対応して埋込型標識灯の下面または側面に配設される。また、受電端子は、電源端子台に接続可能に構成される。好適には、電源端子台の構成に対応してガイド孔またはガイドピンおよび差込刃が絶縁基体から植立していて、ガイド孔またはガイドピンが電源端子台のガイドピンまたはガイド孔に挿入され、差込刃が電源端子台の内部に収容されているコネクタに接続する構造である。
【００３８】
さらに、取付手段について説明する。取付手段は、埋込型標識灯を調整リングまたは上部調整リングに取り付けるための手段であり、埋込型標識灯の灯体に形成された取付部および固着具などにより構成される。固着具は、請求項１において説明したように構成される。
【００３９】
＜容積比率Ｂ／Ａについて＞    容積比率Ｂ／Ａは、埋込型標識灯および調整リングのそれぞれの上面間に形成される水滞留最大容積がＡの隙間と、調整リングの電気接続部の周囲に形成される水滞留許容最大容積がＢの空間との容積比率である。本発明においては、容積比率Ｂ／Ａが１以上になっている点に構成上の特徴がある。
【００４０】
すなわち、埋込型標識灯および調整リングのそれぞれの上面間には、埋込型標識灯を調整リングに着脱するために、適当な隙間が形成されている。この隙間に雨水などの水が溜まり得る最大量を水滞留最大容積Ａとする。
【００４１】
他方、「水滞留許容最大容積Ｂ」とは、調整リング内に配設された電気接続部の周囲に雨水などの水が浸入した場合、電気接続部の内部にまで水が浸入して絶縁破壊が発生する直前までの水量、したがって許容範囲内で最大の水量をいう。なお、「電気接続部」とは、調整リングの内部に存在する電気的な接続手段の全てをいう。例えば、電源端子台、電源端子台と調整リングの背面側に位置するプラグとの間を電気的に中継する中継端子、および電源端子台と中継端子との間を接続する接続導体などが該当する。
【００４２】
本発明において、容積比率Ｂ／Ａが１以上であるということは、埋込型標識灯および調整リングのそれぞれの上面間に滞留していた水が調整リング内に浸入したとしても、調整リング内に配設されている電気接続部の絶縁が脅かされないことを意味する。なお、調整リング内に水が浸入する際に、水はダイナミックな動きをすることがあるので、好ましくは容積比率Ｂ／Ａを１に安全係数を乗じた数値に設定するのがよい。
【００４３】
容積比率Ｂ／Ａを１以上に設定するための具体的な手段は、本発明において格別限定されない。しかし、例えば以下の構成を所望により適宜採用することができる。なお、上記電気接続部が防水処理されている場合には、電気接続部が進入してきた水に水没しても差し支えない。したがって、このような場合には、水滞留許容最大容積Ｂは、当該電気接続部より上のレベルで計測することができる。電源端子台より下位のレベルに水滞留最大容積Ａより容積の大きい水溜り許容部を形成する。
電源端子台を調整リングの内部底面より所要に高い位置に配設する。なお、「所要に高い位置」とは、水滞留最大容積Ａの水量が底面に滞留しても電源端子台に到達しない高さ位置をいう。
中継端子を用いる場合、その充電部が調整リングの内部底面より所要に高い位置に配置されるように構成する。
中継端子を用いる場合、当該中継端子を防水構造にする。
電源端子台および中継端子などに対する接続導体の接続部を防水処理する。
【００４４】
＜本発明の作用について＞    本発明においては、埋込型標識灯装置が以上説明した構成を具備していることにより、埋込型標識灯および調整リングのそれぞれの上面間に滞留していた水が調整リング内に浸入したとしても、調整リング内に配設されている電気接続部の絶縁が脅かされないので、埋込型標識灯を調整リングから取り外す際に、事前に排水作業を行う必要がなくなる。そのため、埋込型標識灯装置のメンテナンスが一層短時間で、しかも、安全に行えるようになる。
【００４５】
また、切込接着工法用として設計された埋込型標識灯を配管工法用の基台に取り付けるように構成することができる。このため、空港における埋込型標識灯の配線に長期信頼性を付与することができる。
【００４６】
請求項２の発明の埋込型標識灯装置は、上面に形成された開口端を備え、配管内の配線に接続する電源端子台を内部に配設するとともに、路面に埋設される基台と；上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出するとともに光源に接続する受電端子を備え、基台の開口端に取り付けられる埋込型標識灯と；を具備し、埋込型標識灯および基台の上面間に形成される水滞留最大容積がＡの隙間と、基台の電気接続部の周囲に形成される水滞留許容最大容積がＢの空間との容積比率Ｂ／Ａが１以上であることを特徴としている。
【００４７】
本発明は、調整リングを介さないで、埋込型標識灯を直接基台に取り付ける構成を規定している。
【００４８】
＜基台について＞    基台は、請求項１の発明における説明が適用される。例えば、基台には、基台の埋設深さのずれを矯正するための手段として、間座をその開口端に取り付けることができる。なお、本発明において、埋込型標識灯から見ると、間座は、基台の一部として機能する。したがって、本発明において、間座は、基台の一部として理解される。
【００４９】
また、本発明において、基台は、その内部に電源端子台を配設している。電源端子台については、請求項１の発明における説明が適用される。ただし、基台の外部の配管から電源を導入して電源端子台に接続するための構成は、調整リングにおけるそれとは異なる。例えば、調整リングを介さないで埋込型標識灯を取り付ける場合、薄形の基台を採用する場合が多いので、このような場合には、基台の側面を貫通して中継端子を防水処理して装着することができる。そして、基台の内部において、中継端子と電源端子台とを直接接続導体により接続する。
【００５０】
＜容積比率Ｂ／Ａについて＞    容積比率Ｂ／Ａは、埋込型標識灯および基台のそれぞれの上面間に形成される水滞留最大容積がＡの隙間と、基台の電気接続部の周囲に形成される水滞留許容最大容積がＢの空間との容積比率である。本発明においては、容積比率Ｂ／Ａが１以上になっている点に構成上の特徴がある。
【００５１】
すなわち、埋込型標識灯および基台のそれぞれの上面間には、埋込型標識灯を基台に着脱するために、適当な隙間が形成されている。この隙間に雨水などの水が溜まり得る最大量を水滞留最大容積Ａとする。
【００５２】
他方、「水滞留許容最大容積Ｂ」とは、基台内に配設された電気接続部の周囲に雨水などの水が浸入した場合、電気接続部の内部にまで水が浸入して絶縁破壊が発生する直前までの水量、したがって許容範囲内で最大の水量をいう。なお、「電気接続部」とは、基台の内部に存在する電気的な接続手段の全てをいう。例えば、電源端子台、電源端子台と基台の側面などに防水的に貫通する中継端子、および電源端子台と中継端子との間を接続する接続導体などが該当する。
【００５３】
本発明において、容積比率Ｂ／Ａが１以上であるということは、埋込型標識灯および基台のそれぞれの上面間に滞留していた水が基台内に浸入したとしても、基台内に配設されている電気接続部の絶縁が脅かされないことを意味する。なお、基台内に水が浸入する際に、水はダイナミックな動きをすることがあるので、好ましくは容積比率Ｂ／Ａを１に安全係数を乗じた数値に設定するのがよい。
【００５４】
容積比率Ｂ／Ａを１以上に設定するための具体的な手段は、本発明において格別限定されない。しかし、例えば以下の構成を所望により適宜採用することができる。なお、上記電気接続部が防水処理されている場合には、電気接続部が進入してきた水に水没しても差し支えない。したがって、このような場合には、水滞留許容最大容積Ｂは、当該電気接続部より上のレベルで計測することができる。電源端子台および中継端子などに対する接続導体の接続部を防水処理する。
１．電源端子台より下位のレベルに水滞留最大容積Ａより容積の大きい水溜り許容部を形成する。
２．電源端子台を基台の内部底面より所要に高い位置に配設する。なお、「所要に高い位置」とは、水滞留最大容積Ａの水量が底面に滞留しても電源端子台に到達しない高さ位置をいう。
３．中継端子を用いる場合、その充電部が基台の内部底面より所要に高い位置に配置されるように構成する。
４．中継端子を用いる場合、当該中継端子を防水構造にする。
５．電源端子台および中継端子などに対する接続導体の接続部を防水処理する。
【００５５】
＜本発明の作用について＞    本発明においては、埋込型標識灯装置が以上説明した構成を具備していることにより、埋込型標識灯および基台のそれぞれの上面間に滞留していた水が基台内に浸入したとしても、基台内に配設されている電気接続部の絶縁が脅かされないので、埋込型標識灯を基台から取り外す際に、事前に排水作業を行う必要がなくなる。そのため、埋込型標識灯装置のメンテナンスが一層短時間で、しかも、安全に行えるようになる。
【００５６】
また、切込接着工法用として設計された埋込型標識灯を配管工法用の基台に取り付けるように構成することができる。このため、空港における埋込型標識灯の配線に長期信頼性を付与することができる。
【００５７】
請求項３の発明の埋込型標識灯装置は、上面に形成された開口端を備え、配管内の配線に接続するレセプタクルを内部に収容するとともに、路面に埋設される基台と；埋込型標識灯を受け容れる凹部を中央に有し、かつ、凹部の底面の周囲に周段部を形成するとともに基台の開口端に取り付けられる調整リング本体、調整リング本体の凹部内の周段部上に実質的全体が配設されて埋込型標識灯の受電端子に接続する電源端子台、および電源端子台から調整リング本体の背面側へ導出されて基台内のレセプタクルに接続するプラグを備えた調整リングと；上面に配設された光導出溝、光導出溝に連通する内部空間、および光導出溝と内部空間との間に液密に配設された光路規制用のプリズムを備えた灯体、プリズムに向かって投光するように灯体の内部空間に配設された光源を含む光学ユニット、ならびに灯体から下方へ向かって露出し調整リングの電源端子台に挿入されて接続するとともに光源に接続する受電端子を備え、調整リングに取り付けられる埋込型標識灯と；を具備していることを特徴としている。
【００５８】
本発明は、調整リング内に配設される電源端子台の好適な取付構造を規定している。なお、本発明において、基台、調整リングおよび埋込型標識灯についての説明は、請求項１の発明固有の構成部分を除き、請求項１の発明の中で行ったものを援用することができる。
【００５９】
本発明において、電源端子台が「周段部上に実質的全体が配設され」るとは、電源端子台の受電端子と接続する接続部の全体が調整リングの周段部の上に対向する位置にあることを意味する。
【００６０】
そうして、本発明においては、以上の構成を具備していることにより、埋込型標識灯を調整リングに取り付ける際に、受電端子が挿入されるときの圧力によって背後側へ逃げるような変位をしなくなる。その結果、電源端子台と受電端子との接続が確実に行われる。
【００６１】
請求項４の発明の埋込型標識灯装置は、請求項１または３記載の埋込型標識灯装置において、調整リングは、環状をなした第１の部材と、中央部に埋込型標識灯を受け容れる凹部を有する第２の部材を備え、第１の部材には第１の部材を基台に取り付けるための第１の取付部および第２の部材を取り付けるための第２の取付部を有し、第２の部材が第１の部材に嵌合した状態で第２の取付部に取り付けられる被取付部を有しているとともに埋込型標識灯を取り付けるように構成されていることを特徴としている。
【００６２】
本発明は、基台内に配設されている絶縁トランスなどのメンテナンスに好適な調整リングの構成を規定している。
【００６３】
調整リングは、第１の部材および第２の部材に分割される構造になっている。第１の部材は、環状をなしていて第１および第２の取付部を有している。また、第１の部材は、主として調整リングを基台に取り付けるために作用する。第１の取付部は、基台に第１の部材を取り付けるために機能する。ただし、第１の取付部の具体的な構造は、特段限定されない。例えば、ボルトにより基台に取り付ける構成を採用することができる。また、第２の取付部は、第２の部材を第１の部材に取り付けるためのものである。ただし、第２の取付部の具体的な構造は、特段限定されない。例えば、ボルトにより第１の部材に取り付ける構成を採用することができる。
【００６４】
第２の部材は、第１の部材に嵌合した状態で上記第２の取付部により第１の部材に取り付けられる。また、第２の部材は、主として調整リングに埋込型標識灯を取り付けるために機能する。そのために、第２の部材は、埋込型標識灯の取付部を有している。また、所望により中央部に埋込型標識灯を受け容れる凹部が形成された皿状に形成することができる。
【００６５】
さらに、第２の部材は、埋込型標識灯を取り付けた状態で第１の部材に着脱可能になっている。そのために、被取付部が埋込型標識灯の外側に位置していることが好ましい。被取付部は、例えば通孔からなり、第１の部材の第２の取付部と協働して第２の部材を第１の部材に取り付けるのに機能する。
【００６６】
基台は、所要により間座を備えていることが許容される。
【００６７】
そうして、本発明においては、調整リングが上記のように構成されているので、埋込型標識灯が第２の部材に取り付けられた状態でも第１の部材から取り外すことができる。第１の部材は、環状をなしているので、基台に取り付けた状態のままでも、基台内に配設されている絶縁トランスなどをメンテナンスすることが可能になる。
【００６８】
請求項５の発明の埋込型標識灯装置は、請求項４記載の埋込型標識灯装置において、調整リングは、第１の部材が周縁側に配置された第１の環状座およびこれと同心円関係で中心側に配置された第２の環状座をそれぞれ有し、第２の部材が第１の部材の第１の環状座に正対する第１の対向座および第２の環状座に当接して荷重を受ける第２の対向座を有していることを特徴としている。
【００６９】
本発明は、請求項４の発明に加えて耐荷重性を向上するのに好適な調整リングの好適な構成を規定している。
【００７０】
第１の部材は、同心円関係にある第１および第２の環状座を有している。なお、所望により第２の環状座を第１の環状座より低い位置（基台側の位置）に形成することができる。
【００７１】
第２の部材は、第１および第２の対向座を有している。第１の対向座は、第２の部材が第１の部材に嵌合している状態において、第１の部材の第１の環状座に対向する。また、第２の対向座は、第２の部材が第１の部材に嵌合している状態において、第１の部材の第２の環状座に対向する。そして、第２の部材が第１の部材に所定の状態で取り付けられている状態において、第１の部材の第２の環状座は、第２の部材の第２の対向座が当接し、第２の部材の第２の対向座を介して埋込型標識灯の静荷重および埋込型標識灯を経由して作用する航空機などの埋込型標識灯上を走行する車両の動荷重を受け止めるように構成されている。
【００７２】
所望により第１の部材の第２の環状座と、第２の部材の第２の対向座との間にＯリングなどのシール材を介在させることにより、それらの間を液密にシールすることができる。
【００７３】
そうして、本発明においては、調整リングの第１および第２の部が以上のように構成されていることにより、調整リングの耐荷重性が向上する。
【００７４】
【発明の実施の形態】
以下、図面を参照して本発明の実施の形態を説明する。
【００７５】
図１ないし図６は、本発明の埋込型標識灯装置における第１の実施の形態を示し、図１は平面図、図２は一方の光学ユニットおよびこれに関連する部位を示す断面図、図３は一方の光学ユニットおよびこれに関連する部位を示す埋込型標識灯の断面図、図４は埋込型標識灯の背面図、図５は調整リングの平面図、図６は調整リングの端面図である。本実施の形態において、埋込型標識灯装置ＭＬは、基台Ｂ、調整リングＲ、絶縁トランスＴおよび埋込型標識灯Ｌを具備している。
【００７６】
（基台１）    基台Ｂは、基台本体１および間座２からなり、路盤内に埋設される。
【００７７】
基台本体１は、上端に開口端１１および内部に内部空間１２を有する有底筒状をなしていて、さらに内部空間１２内に収納されたレセプタクル１３を備えている。また、基台本体１の側面には、図示を省略している配管の接続部を有している。レセプタクル１３は、基台本体１内において、配線Ｗの先端に接続し、かつ、配線Ｗは後述する絶縁トランスＴを介して配管内の通線に電気的に接続する。なお、基台本体１の開口端１１の周縁には、複数のねじ孔ｓ１が形成されている。
【００７８】
間座２は、リング２１およびリング２２に２分割されている。リング２１は、基台本体１の開口端１１のねじ孔ｓ１に対向する通孔ｔ１を有し、基台本体１の開口端に跨座して、ボルトｂ１を通孔ｔ１を経由して基台本体１のねじ孔ｓ１にねじ込むことにより、基台本体１に固定される。リング２２は、リング２１に上から嵌合して、押しねじｂ２によりリング２１の内面に固定される。また、リング２２は、その上面にそれぞれ複数のねじ孔ｓ３が形成されている。ねじ孔ｓ３は、後述する調整リングＲを取り付けるのに用いる。
【００７９】
（調整リングＲ）    調整リングＲは、図２および図６に示すように、調整リング本体３、電源端子台４およびプラグ５を備えている。
【００８０】
調整リング本体３は、第１および第２の部材３１、３２からなる。第１の部材３１は、リング状をなしていて、第１および第２の取付部３１ａ、３２ｂを有している。第１の取付部３１ａは、第１の部材３１の外周側の上面の周段部により環状座として形成されている。また、第１の取付部３１ａには、間座２のねじ孔ｓ３に対向する位置に複数の通孔ｔ３が形成されている。そして、ボルトｂ３を通孔ｔ３を経由してねじ孔ｓ３にねじ込むことにより、第１の部材３１は、基台Ｂの間座２に取り付けられる。第２の取付部３１ｂは、第１の部材３１の内周側にある周段部により環状座として形成されている。また、第２の取付部３１ｂは、第１の取付部３１ａと同心円関係の内側に位置していて、かつ、第１の取付部３１ａより下方に位置している。
【００８１】
第２の部材３２は、皿状をなしていて、中央部に埋込型標識灯Ｌを受け容れる凹部３２ａ、下面外周に環状座３２ｂ、上部内周に環状支承座３２ｃ、上部外周に被取付部３２ｄをそれぞれ備えている。凹部３２ａは、その底部周縁に周段部３２ａ１を突設している。環状座３２ｂは、第１の部材３１の第２の取付部３１ｂに支承されて第１の部材３１に嵌合して支承される。環状支承座３２ｃは、複数のスタッドボルト３２ｃ１を有するとともに、後述する埋込型標識灯Ｌを、その下面外周を支承することにより支持する。スタッドボルト３２ｃ１は、環状支承座３２ｃの上面から上向きに突設されていて、埋込型標識灯Ｌの取付に用いられる。被取付部３２ｄは、その下面が第１の取付部３１ａの第１の取付部３１に支承されるとともに、第１の部材３１に形成されたねじ孔ｓ２に対向する通孔ｔ２を有している。そして、通孔ｔ２を経由してボルトｂ２をねじ孔ｓ２にねじ込むことにより、第２の部材３２は、第１の部材３１に取り付けられる。
【００８２】
電源端子台４は、図５に示すように、絶縁ケース４ａ、一対のコネクタ４ｂ、４ｂおよび一対のガイドピン４ｃ、４ｃを主な構成要素として構成され、調整リングＲの第２の部材３２の凹部３２ａ内の底面に突設した周段部３２ａ１に実質的全体が載置された状態で周段部３２ａ１に沿って許容範囲内で移動可能に配設されている。なお、電源端子台４と周段部３２ａ１との間には、ポリエチレンシートＰが介挿されていて、電源端子台４の上記移動を容易にしている。
【００８３】
プラグ５は、第１の絶縁被覆導線５ａ、中継端子５ｂおよび第２の絶縁被覆導線５ｃを経由して電源端子台４から調整リングＲの背面側へ導出されている。第１の絶縁被覆導線５ａは、電源端子台４の一対のコネクタ４ａ、４ａと中継端子５ｂとの間を接続している。中継端子５ｂは、調整リングＲの底面を防水的に貫通して配設されている。そして、中継端子５ｂの凹部３２ａ側に位置する充電部が凹部３２ａの底面から所定の高さ位置になるように設定されている。中継端子の充電部の位置と、周段部３２ａ１の高さとの協働により、凹部３２ａの底面側に水滞留許容最大容積がＢの空間が確保されている。また、中継端子５ｂは、第１および第２の絶縁被覆導線５ａ、５ｃを中継的に接続する。第２の絶縁被覆導線５ｃの中継端子５ｂの近傍部位は、固定具５ｄにより調整リングＲの下面に固定されるので、中継端子５ｂとの接続部にストレスが作用しない。第２の絶縁被覆導線５ｃの他端にプラグ５が接続し、かつ、装着される。プラグ５は、基台Ｂのレセプタクル１３に接続する。
【００８４】
（絶縁トランスＴ）    絶縁トランスＴは、図１に示すように、基台Ｂの内部に収納され、レセプタクル１３と配管との間に直列に介挿されている。
【００８５】
（埋込型標識灯Ｌ）    埋込型標識灯Ｌは、灯体６、光学ユニット７および受電端子８を備えている。灯体６は、図３および図４に示すように、光導出溝６１、内部空間６２、プリズム６３、パッキング６４、押さえ金具６５、複数の通孔ｔ４および複数の凹所６７を備えている。また、灯体６は、上部灯体６Ａおよび下部灯体６Ｂによる２つ割り構成であり、Ｏリング６８を介して上部灯体６Ａおよび下部灯体６Ｂを覆合し、ビスｂ５により固着することによって、内部空間６２が液密に形成されている。さらに、灯体６は、その下部に周段部６ａを有している。なお、上部灯体６Ａは、高強度金属を鋳造して形成されている。これに対して、下部灯体６Ｂは、ダイキャストにより形成されている。
【００８６】
光導出溝６１は、灯体６の上面に配設されている。そして、内部空間６２に連通している。内部空間６２は、灯体６の内部に形成され、後述する光学ユニット７および受電端子８から導出される受電部分８ａなどを収納しているとともに、後述するプリズム６３を収納するプリズム収容部６ｂを有している。プリズム６３は、内部空間６２のプリズム収容部６ｂに収納され、その光出射面が光導出溝６１に対面し、かつ、光入射面が光学ユニット７に対面する。
【００８７】
パッキング６４は、シリコーンゴム製で枠状をなし、プリズム６３の光入射面の周縁部に当接する。また、パッキング６４は、その上部枠部の背面に突起を有している。押さえ金具６５は、その主要部がパッキング６４と同様な枠状の形状を有して、パッキング６４の背面を押圧するとともに、その取付部６５ａが灯体６の内面にビスｂ６により固着される。また、押さえ金具６５は、その上部枠部の内面にパッキング６４の突起６４ａが係合して、両者が機械的に結合する凹部を有している。
【００８８】
複数の通孔ｔ４は、灯体６の周縁部に調整リングＲのスタッドボルト３２ｃ１に一致する位置に分散して形成されている。複数の凹所６７は、通孔ｔ４に連続して灯体６の上面に形成されている。
【００８９】
光学ユニット７は、光源７１、反射鏡７２、ランプソケット７３、位置規制枠７４、ダイクロイック色フィルタ７５、および減光フィルタ７６などから構成されている。光源７１は、片封止形のハロゲン電球からなる。反射鏡７２は、光源７１と一体化されている。すなわち、反射鏡７２は、ガラス成形基体の内面に形成された回転２次曲面を有する反射基盤面に可視光反射、赤外光透過性のダイクロイック反射膜を被着して形成されていて、頂部の筒状部の内部にハロゲン電球の封止部を挿入し、かつ、固着することによって光源７１と一体化されている。ランプソケット７３は、受電端子８の受電導体８ａに接続するとともに、反射鏡７２と一体化された光源７１の口金部に装着されて光源７１に給電する。位置規制枠７４は、反射鏡７２の前面の周囲に当接して、光源７１および反射鏡７２のプリズム６３に対する位置を規制する。また、位置規制枠７４は、ビスｂ７により下部灯体６Ｂの内面に固着される。
【００９０】
ダイクロイック色フィルタ７５および減光フィルタ７６は、互いに重ねられた状態で支持枠に支持されて押さえ金具６５の背面に添接されている。ダイクロイック色フィルタ７５は、ガラス基板の一面にダイクロイック色フィルタ膜を蒸着して形成されている。減光フィルタ７６もまた同様にガラス基板および減光フィルタ膜を蒸着して形成されている。
【００９１】
受電端子８は、灯体６の下面の調整リングの電源端子台４に対向する位置において、下方へ向かって露出した差込刃８ａおよびガイド孔８ｂを有している。そして、ガイド孔８ｂの下端面には周囲に円錐状のテーパ面が形成されている。また、一対の差込刃８ａ、８ａおよび一対のガイド孔８ｂ、８ｂの配設位置は、電源端子台４のコネクタ４ｂおよびガイドピン４ｃの位置に一致するように構成されている。差込刃８ａ、８ａは、灯体６の内部空間６２内のランプソケット７３に接続する。
【００９２】
そうして、灯体６の通孔ｔ４を調整リングＲのスタッドボルト３２ｃ１に挿通させ、さらに通孔ｔ４から突出したスタッドボルト３２ｃ１の露出部に袋ナットｎをねじ込むことにより、埋込型標識灯Ｌは、基台Ｂに取り付けられる。
【００９３】
図７は、本発明の埋込型標識灯装置における第２の実施の形態を示す断面図である。本実施の形態は、基台Ｂが浅形であるとともに、埋込型標識灯Ｌが直接基台Ｂに取り付けられている点で前述の実施の形態と異なる。なお、図１ないし図６と同一部分については同一符号を付して説明は省略する。
【００９４】
基台Ｂは、その開口端１１に周段部からなる支承座１３を備えているとともに、側面に電源導入用中継端子１４を備えている。また、支承座１３には、複数のスタッドボルト１３ａが上方へ突出している。
【００９５】
さらに、基台Ｂの内部の底面には、深めの凹窪部１５が形成されていて、基台Ｂの電気接続部の周囲に形成される水滞留許容最大容積Ｂが埋込型標識灯Ｌおよび基台Ｂのそれぞれの上面間の隙間に形成される水滞留最大容積Ａより大きくなっている。
【００９６】
一方、埋込型標識灯Ｌは、その通孔ｔ４が円弧状をなす長孔であり、基台Ｂに対する埋込型標識灯Ｌの取付方向を調整可能にしている。
【００９７】
そうして、基台Ｂの開口端１１の支承座１３に埋込型標識灯Ｌの周段部６ａを支承させるとともに、通孔ｔ４をスタッドボルト１１ａ１に挿通させ、さらに通孔ｔ４から突出したスタッドボルト１３ａの露出部に袋ナットｎをねじ込むことにより、埋込型標識灯Ｌは、基台Ｂに取り付けられる。
【００９８】
【発明の効果】
請求項１発明によれば、基台と、調整リングと、埋込型標識灯とを具備し、埋込型標識灯および調整リングのそれぞれの上面間に形成される水滞留最大容積がＡの隙間と、調整リングの電気接続部の周囲に形成される水滞留許容最大容積がＢの空間との容積比率Ｂ／Ａが１以上であることにより、埋込型標識灯を取り外すに先立ち上記隙間内の雨水などを予め除去する必要がなく、メンテナンス性の一層の向上を図って短時間に作業ができるようにするとともに、従来工法の欠点を解消して長期信頼性に優れる埋込型標識灯装置を提供することができる。
【００９９】
請求項２の発明によれば、基台と、埋込型標識灯とを具備し、埋込型標識灯および基台の上面間に形成される水滞留最大容積がＡの隙間と、基台の電気接続部の周囲に形成される水滞留許容最大容積がＢの空間との容積比率Ｂ／Ａが１以上であることにより、埋込型標識灯を取り外すに先立ち上記隙間内の雨水などを予め除去する必要がなく、メンテナンス性の一層の向上を図って短時間に作業ができるようにするとともに、従来工法の欠点を解消して長期信頼性に優れる埋込型標識灯装置を提供することができる。
【０１００】
請求項３の発明によれば、基台と、調整リング本体、調整リング本体の凹部内の周段部上に実質的全体が配設され電源端子台およびプラグを備えた調整リングと、調整リングの電源端子台に挿入されて接続するとともに光源に接続する受電端子を備え、調整リングに取り付けられる埋込型標識灯とを具備していることにより、電源端子台と受電端子との間の正常な電気接続が得られるので、メンテナンス性の一層の向上を図って短時間に作業ができるようにするとともに、従来工法の欠点を解消して長期信頼性に優れる埋込型標識灯装置を提供することができる。
【０１０１】
請求項４の発明によれば、調整リングが、環状をなした第１の部材と、中央部に埋込型標識灯を受け容れる凹部を有する第２の部材を備え、第１の部材には第１の部材を基台に取り付けるための第１の取付部および第２の部材を取り付けるための第２の取付部を有し、第２の部材が第１の部材に嵌合した状態で第２の取付部に取り付けられる被取付部を有しているとともに埋込型標識灯を取り付けるように構成されていることにより、絶縁トランスを交換などのために基台から取り出すのに先立ち埋込型標識灯を調整リングから取り外し、次に調整リングを基台から取り外す必要がないために、メンテナンス性の一層の向上を図って短時間に作業ができるようにするとともに、従来工法の欠点を解消して長期信頼性に優れる埋込型標識灯装置を提供することができる。
【０１０２】
請求項５の発明によれば、加えて調整リングが、第１の部材が周縁側に配置された第１の環状座およびこれと同心円関係で中心側に配置された第２の環状座をそれぞれ有し、第２の部材が第１の部材の第１の環状座に正対する第１の対向座および第２の環状座に当接して荷重を受ける第２の対向座を有していることにより、耐荷重性に優れた埋込型標識灯装置を提供することができる。
【図面の簡単な説明】
【図１】本発明の埋込型標識灯装置における第１の実施の形態を示す平面図
【図２】同じく一方の光学ユニットおよびこれに関連する部位を示す断面図
【図３】同じく一方の光学ユニットおよびこれに関連する部位を示す埋込型標識灯の断面図
【図４】同じく埋込型標識灯の背面図
【図５】同じく調整リングの平面図
【図６】同じく調整リングの端面図
【図７】本発明の埋込型標識灯装置における第２の実施の形態を示す断面図
【図８】従来の埋込型標識灯装置における基台を示す平面図
【図９】同じく基台の断面図
【符号の説明】Ｂ…基台、Ｌ…埋込型標識灯、ＭＬ…埋込型標識灯装置、Ｒ…調整リング、Ｔ…絶縁トランス、Ｗ…配線、１…基台本体、２…間座、３…調整リング本体、４…電源端子台、５…プラグ、５ｂ…中継端子、６…灯体、７…光学ユニット、８…受電端子、１３…レセプタクル
【図１】
2004285772.tif 000003
【図２】
2004285772.tif 000004
【図３】
2004285772.tif 000005
【図４】
2004285772.tif 000006
【図５】
2004285772.tif 000007
【図６】
2004285772.tif 000008
【図７】
2004285772.tif 000009
【図８】
2004285772.tif 000010
【図９】
2004285772.tif 000011